(57)【特許請求の範囲】
【請求項１】
地上デジタル放送受信部と、
前記地上デジタル放送の受信品質情報を検出する受信品質情報検出部と、
検出した受信品質情報の概略情報を取得する概略情報取得部と、
検出した受信品質情報の詳細情報を取得する詳細情報取得部と、
前記概略情報又は／及び前記詳細情報を選択してユーザーインターフェイスに出力する選択出力部と、を有し、
受信品質情報検出部は、選択出力部の選択に応じて検出感度を調整するための選択依存検出感度調整手段を有し、
選択出力部は、選択すべき情報をユーザ操作による入力で受け付ける操作選択手段を有する地上デジタル放送受信機能付携帯装置。
【請求項２】
前記選択依存検出感度調整手段は、
選択出力部の選択に応じて受信品質情報検出のサンプリングレートを調整することを特徴とする請求項１に記載の地上デジタル放送受信機能付携帯装置。
【請求項３】
地上デジタル放送を受信する受信ステップと、
前記地上デジタル放送の受信品質情報である受信電界強度又は／及び受信ビットエラーレイトを検出する受信品質情報検出ステップと、
検出した受信品質情報である受信電界強度又は／及び受信ビットエラーレイトに基づいて概略情報を取得する概略情報取得ステップと、
検出した受信品質情報である受信電界強度又は／及び受信ビットエラーレイトに基づいて詳細情報を取得する詳細情報取得ステップと、
前記概略情報又は／及び前記詳細情報を選択してディスプレイ又は／及びスピーカに出力する選択出力ステップと、
選択出力ステップでの選択に応じて検出感度を調整する選択依存検出感度調整ステップと、を有し、
選択出力ステップは、選択すべき情報をユーザ操作による入力で受け付ける操作選択サブステップを有する地上デジタル放送受信機能付携帯装置の動作方法。
【請求項４】
前記選択依存検出感度調整ステップは、
選択出力ステップの選択に応じて受信品質情報検出のサンプリングレートを調整することを特徴とする請求項３に記載の地上デジタル放送受信機能付携帯装置の動作方法。
【発明の詳細な説明】
【技術分野】
【０００１】
本発明は、地上デジタル放送受信機能付携帯装置における受信品質情報に基づく受信状況の概略情報表示と詳細情報表示に関する。
【背景技術】
【０００２】
近年、携帯電話装置の高性能化が進み、ＣＰＵスペックの上昇、省電力、画面描画能力の向上が行われている。それに伴い携帯電話装置にはカメラ機能、音楽録再、動画録再、ゲームなどの機能が付加され、さらには携帯電話装置でのアナログ方式テレビ視聴も可能となっている。
【０００３】
一方、全国で視聴されているアナログ地上放送に代わる新しい放送として、地上デジタル放送に関する準備が進められており、２００６年には放送エリアが全国に拡大される計画である。これに伴い、現行のアナログ放送は２０１１年には廃止される予定である。地上デジタル放送には、携帯端末装置による受信を想定した規格も用意され、２００６年に放送開始予定となっている。
【０００４】
地上デジタル放送は、移動受信や携帯受信に適した方式を採用しており、一般的に、アナログテレビ放送に比べると移動等による環境の変化に影響されずに安定した受信が可能となる。なぜならば、アナログテレビ放送は、電波の伝送経路における様々な電波障害の影響を受け、ノイズ、画面の欠落、同期異常が発生し易いが、地上デジタル放送は、エラー検出・訂正などの機能を有するためノイズに強いからである。しかしながら、地上デジタル放送であっても、受信環境によっては電波の受信電力が微弱である場合、ノイズの重畳が著しい場合などがあり、特に、受信信号の強度が時間とともに変化するようなフェージングの影響が大きい環境下では、良好な映像を再生することができないこともある。このような受信環境の劣化に対処するために、例えば、特許文献１には、受信状態の詳細を表示することでユーザーにどの方向に場所を移動すれば受信可能になるかなどの判断の元となる情報を与える提案がされている。
【特許文献１】特開２００４−２２８６９５
【発明の開示】
【発明が解決しようとする課題】
【０００５】
しかしながら、受信状態の詳細情報表示を行う場合には、表示装置の広いエリアを使用する必要があり、テレビ表示画面エリアと重なる可能性が大きく、また受信可能な境界エリアでは受信状態の詳細情報表示への切り替えが頻繁に起こりテレビ視聴が困難となる。また、受信状態を概略情報表示のみで行うことも考えられるが、この場合には、ユーザーは受信可能エリアの検索に必要な情報を得ることができない。
【課題を解決するための手段】
【０００６】
本発明は上記課題に鑑みなされたものであり、テレビを視聴する際に、受信状態の表示がテレビの視聴を妨げにくく、かつ詳細な情報通知をユーザーに対して行うことができる地上デジタル放送受信機能付携帯装置を提供することを目的とする。
【０００７】
第一の発明は、地上デジタル放送受信部と、前記地上デジタル放送の受信品質情報を検出する受信品質情報検出部と、検出した受信品質情報の概略情報を取得する概略情報取得部と、検出した受信品質情報の詳細情報を取得する詳細情報取得部と、前記概略情報又は／及び前記詳細情報を選択してユーザーインターフェイスに出力する選択出力部と、を有する地上デジタル放送受信機能付携帯装置に関する。
【０００８】
第二の発明は、選択出力部は、どのように選択をするかを定める選択ルールを保持する選択ルール保持手段と、保持されている選択ルールをユーザー操作により変更するための選択ルール変更手段と、を有する第一の発明に記載の地上デジタル放送受信機能付携帯装置に関する。
【０００９】
第三の発明は、選択出力部は、受信品質情報検出部が検出した受信品質情報に応じて前記選択をする受信品質情報依存選択手段を有する第一の発明又は第二の発明に記載の地上デジタル放送受信機能付携帯装置に関する。
【００１０】
第四の発明は、選択出力部は、選択すべき情報をユーザー操作による入力で受け付ける操作選択手段を有する第一の発明又は第二の発明に記載の地上デジタル放送受信機能付携帯装置に関する。
【００１１】
第五の発明は、受信品質情報検出部は、選択出力部の選択に応じて検出感度を調整するための選択依存検出感度調整手段を有する第一の発明又は第二の発明に記載の地上デジタル放送受信機能付携帯装置に関する。
【発明の効果】
【００１２】
本発明によれば、地上デジタル放送受信機能付携帯装置におけるテレビ視聴において、受信品質情報の概略情報表示をテレビ画像とは重ならない配置として表示するとともに、受信状態の表示がテレビの視聴を妨げにくく、かつ詳細情報の通知をユーザーに対して行うことが可能となる。
【発明を実施するための最良の形態】
【００１３】
以下に本件発明の実施形態を説明する。実施形態と、請求項との関係はおおむね次のようなものである。請求項１、３の構成は、主に実施形態１、４、５にて説明されている。請求項２、４の構成は、主に実施形態５にて説明されている。
【００１４】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インターフェース、その他の周辺装置などのハードウェア構成部や、それらハードウェアを制御するためのドライバプログラムやその他アプリケーションプログラムなどが挙げられる。
【００１５】
また、この発明は装置またはシステムとして実現できるのみでなく、方法としても実現可能である。また、このような発明の一部をソフトウェアとして構成することもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【００１６】
以下に、図を用いて本発明の実施の形態を説明する。なお、本発明はこれら実施の形態に何ら限定されるものではなく、その要旨を逸脱しない範囲において、種々なる態様で実施しうる。
【００１７】
<<実施形態１>>
以下に、実施形態１について説明する。
<実施形態１の概念>
以下に本実施形態の概念について説明する。本実施形態は、地上デジタル放送の受信品質情報を検出し、検出した受信品質情報に基づいて概略情報又は／及び詳細情報を表示することができる地上デジタル放送受信機能付携帯装置に関する。
図１は、本実施形態の地上デジタル放送受信機能付携帯装置の一例を示す概念図である。地上デジタル放送受信機能付携帯装置０１００は、地上デジタル放送のコンテンツを０１０２に表示し、受信状態の概略情報を０１０３に表示し、詳細情報を０１０１に表示している。
【００１８】
<構成要件の明示>
以下に、本実施形態の構成要件を明示する。
図２は、本実施形態の機能ブロックの一例を示す図である。地上デジタル放送受信機能付携帯装置０２００は、地上デジタル放送受信部０２０１と、受信品質情報検出部０２０２と、概略情報取得部０２０３と、詳細情報取得部０２０４と、選択出力部０２０５と、からなる。
【００１９】
<構成要件の説明>
以下に、本実施形態の構成要件について説明をする。
【００２０】
（地上デジタル放送受信部）
「地上デジタル放送受信部」は、地上デジタル放送を受信する。ここで「地上デジタル放送」とは、地上波によるデジタルデータのラジオ又はテレビ放送のことをいう。地上波デジタル放送は、衛星を使った放送とは異なり移動しながらの受信にも強く、携帯端末や電車内のテレビなどでも番組を楽しむことが可能である。また、地上デジタル放送は雨や雪の影響をほとんど受けることがないので、いつでも映像や音声サービスを受けることができるという特徴を有する。ひとつの放送事業者が複数の番組を放送する多チャンネル編成や、クイズ番組にリアルタイムで参加したり、音楽番組にリクエストしたりする双方向番組なども可能になる。地上デジタルテレビ放送は、２００３年１２月より、関東・中京・近畿の三大広域圏からスタートし、２００６年末までには九州各県を含め全国の県庁所在地など主要都市で放送が開始される予定である。また、２０１１年には地上デジタルテレビ放送に完全移行し、現在の地上アナログテレビ放送が終了する予定である。また、地上デジタル放送の受信は従来の地上波アナログチューナでは不可能で、地上波デジタルチューナが必要となる。ただし、アンテナに関しては専用の物は必要なくＵＨＦアンテナを使用することができる。なお、携帯端末用の１セグ放送（１セグメント放送）が準備されており、１セグ放送のみに本発明を適用することも可能である。受信された地上デジタル放送は受信品質情報検出部に出力されるなどして利用される。
【００２１】
（受信品質情報検出部）
「受信品質情報検出部」は、地上デジタル放送の受信品質情報を検出するように構成されている。ここで「受信品質情報」とは、受信した地上デジタル放送の受信状態を示す情報のことをいう。受信品質情報には、一例として、ＢＥＲ（Ｂｉｔ  Ｅｒｒｏｒ  Ｒａｔｅ：ビットエラーレイト、ビット誤り率）、Ｃ／Ｎ（Ｃａｒｒｉｅｒ  ｔｏ  Ｎｏｉｓｅ  ｒａｔｅ）、受信電力、受信電界強度、受信感度などの情報が挙げられる。「ビットエラーレイト」とは、ある規定した期間内に、伝送、受信、または処理した全ビット数で、誤ったビット数を割った値のことをいう。数値が小さいほど良好な状態であることを示している。「Ｃ／Ｎ」とは、搬送波電力対雑音電力比のことをいう。数値が大きいほど良好な状態であることを示している。「受信電力」とは、受信した地上デジタル放送の電力の大きさをいう。数値が大きいほど良好な状態であることを示している。「受信電界強度」とは、受信地点における電波（電界）の強さのことをいう。通常は電界強度計で測定され、単位は、「Ｖ／ｍ」で表される。例えば、１μＶ／ｍを０ｄＢ（基準）として、１０μＶ／ｍ＝２０ｄＢ、１００μＶ／ｍ＝４０ｄＢなどと表す。数値が大きいほど良好な状態であることを示している。「受信感度」とは、ビットエラーレイトが、ある一定値、例えば、１０のマイナス２乗になる受信電界強度のことをいう。数値が小さいほど良好な状態であることを示している。なお、受信品質情報は、その最大値又は基準値に対する割合で表示することもできる。検出された受信品質情報は、概略情報取得部、詳細情報取得部に出力されるなどして利用される。
【００２２】
（概略情報取得部）
「概略情報取得部」は、検出した受信品質情報の概略情報を取得するように構成されている。ここで「概略情報」とは、同一の受信品質情報に基づいて受信状態を示すための情報を二つ生成する場合に、情報の量が少ない又は／及びその質が低い方の情報のことをいう。概略情報は、相対的な情報であり、後述の詳細情報と対をなす情報である。つまり、同じ情報が概略情報になる場合もあれば、詳細情報になる場合もある。一例として、ビットエラーレイトを利用して概略情報を取得する方法について考えてみる。まず概略情報取得部は、現在の地上デジタル放送のビットエラーレイト（５８．７１％）を取得するものとする。ここで第一の方法として、概略情報取得部が、ビットエラーレイトをＡ（３３％未満）、Ｂ（３３％以上６７％未満）、Ｃ（６７％以上）の３つのレベルに仕分けるように構成されているものとすると、概略情報として「Ｂレベル」が取得される。この場合には、一例として、「５８．７１％」（有効数字４桁の表示）、「５９％」（有効数字２桁の表示）、「６０％」（有効数字１桁の表示）などが詳細情報として考えられる。次に、第二の方法として、概略情報取得部が、ビットエラーレイトを有効数字１桁にするように構成されているものとすると、概略情報として「６０％」（四捨五入）が取得される。この場合には、一例として、「５８．７１％」（有効数字４桁の表示）、「５９％」（有効数字２桁の表示）などが詳細情報として考えられる。上述したように、同じ情報、例えば、「６０％」（有効数字１桁の表示）という情報が、概略情報（上記第二の方法）になる場合もあれば、詳細情報（上記第一の方法）になる場合もある。それらは設計事項であり、概略情報取得部と詳細情報取得部と、をどのように設計するかによって決定される。また、一般的に、概略情報は、詳細情報よりも情報の量が少ないので、その表示のための領域を詳細情報と比較して相対的に小さくすることができる。概略情報は、一例として、画面に出力する場合には、グラフ表示してもよいし、数値、文字、記号、図形等で表示してもよい。取得された概略情報は、選択出力部に出力されるなどして利用される。
【００２３】
（詳細情報取得部）
「詳細情報取得部」は、検出した受信品質情報の詳細情報を取得するように構成されている。ここで「詳細情報」とは、同一の受信品質情報に基づいて受信状態を示すための情報を二つ生成する場合に、情報の量が多い又は／及びその質が高い方の情報のことをいう。詳細情報は、相対的な情報であり、前述の概略情報と対をなす情報である。つまり、同じ情報が詳細情報になる場合もあれば、概略情報になる場合もある。それらは設計事項であり、概略情報取得部と詳細情報取得部と、をどのように設計するかによって決定される。また、一般的に、詳細情報は、概略情報よりも情報の量が多いので、その表示のための領域が概略情報と比較して相対的に大きくなる。詳細情報は、一例として、画面に出力する場合には、グラフ表示してもよいし、数値、文字、記号、図形等で表示してもよいし、又はそれらの組合せであってもよい。また詳細情報には、一例として、受信電界強度やビットエラーレイトを表す数値の表示、数値に対応したグラフ表示などに加えて、「受信圏外である」、「サービスエリア外である」、「ビットエラーレイトが高い」、「ノイズが多い」、「受信電力が小さい」、「受信電界強度が小さい」、「受信感度が低い」などの情報が付加されたものであってもよい。さらに詳細情報は、一つの項目のみの情報（例えば、ビットエラーレイトに関する情報）であってもよいし、複数の項目からなる情報（例えば、ビットエラーレイト、Ｃ／Ｎ、受信電界強度などに関する情報）であってもよい。取得された詳細情報は、選択出力部に出力されるなどして利用される。
【００２４】
（選択出力部）
「選択出力部」は、概略情報又は／及び詳細情報を選択してユーザーインターフェイスに出力するように構成されている。ここで「ユーザーインターフェイス」には、ディスプレイ（映像、文字など）、スピーカ、バイブレータ、フラッシュ（光）などが挙げられる。携帯のディスプレイ（映像、文字など）への表示は、視覚を利用したものであり、通常、考えられる利用形態である。スピーカは、聴覚（音声）を利用したものであり、携帯画面の領域を使用する必要がないという利点がある。バイブレータは、振動であるため、現在視聴中のコンテンツの映像・音声に影響を与えることが少ないという利点がある。この場合には、振動のパターンによって、概略情報又は／及び詳細情報の内容を予め定めておけば、そのパターンによって概略情報又は／及び詳細情報の内容を理解することが可能となる。フラッシュ（光）は、バイブレータと同様、現在視聴中のコンテンツの映像・音声に影響を与えることが少ないという利点がある。この場合には、フラッシュのパターンによって、概略情報又は／及び詳細情報の内容を予め定めておけば、そのパターンによって概略情報又は／及び詳細情報の内容を理解することが可能となる。
【００２５】
次に「選択」の方法としては、保持されている選択ルールに従って選択する方法（後述の実施形態２）、検出した受信品質情報に応じて選択する方法（後述する実施形態３）、選択すべき情報をユーザー操作による入力で受け付ける方法（後述する実施形態４）、などが挙げられる。
【００２６】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図３は、本実施形態の処理の流れの一例を示す図である。
まず、受信ステップは、地上デジタル放送の受信を開始する（ステップＳ０３０１）。
次に、受信品質情報検出ステップは、地上デジタル放送の受信品質情報である受信電界強度又は／及び受信ビットエラーレイトを検出する（ステップＳ０３０２）。
次に、概略情報取得ステップは、検出した受信品質情報である受信電界強度又は／及び受信ビットエラーレイトに基づいて概略情報を取得する（ステップＳ０３０３）。
次に、詳細情報取得ステップは、検出した受信品質情報である受信電界強度又は／及び受信ビットエラーレイトに基づいて詳細情報を取得する（ステップＳ０３０４）。
次に、選択出力ステップは、概略情報を選択するか判断する。判断の結果、概略情報を選択する場合には、ステップＳ０３０６に進み、概略情報を選択しない場合には、ステップＳ０３０９に進む（ステップＳ０３０５）。
次に、選択出力ステップは、判断の結果、概略情報を選択する場合に、さらに詳細情報を選択するか判断する。判断の結果、詳細情報を選択する場合には、ステップＳ０３０７に進み、詳細情報を選択しない場合には、ステップＳ０３０８に進む（ステップＳ０３０６）。
次に、選択出力ステップは、概略情報及び詳細情報を選択する場合には、概略情報及び詳細情報を選択してディスプレイ又は／及びスピーカに出力して、ステップＳ０３１１に進む（ステップＳ０３０７）。
次に、選択出力ステップは、概略情報のみを選択する場合には、概略情報を選択してディスプレイ又は／及びスピーカに出力して、ステップＳ０３１１に進む（ステップＳ０３０８）。
次に、選択出力ステップは、概略情報を選択しない場合に、さらに詳細情報を選択するか判断する。判断の結果、詳細情報を選択する場合には、ステップＳ０３１０に進み、詳細情報を選択しない場合には、ディスプレイ又は／及びスピーカに出力しないでステップＳ０３１１に進む（ステップＳ０３０９）。
次に、選択出力ステップは、詳細情報のみを選択する場合には、詳細情報を選択してディスプレイ又は／及びスピーカに出力して、ステップＳ０３１１に進む（ステップＳ０３１０）。
次に、受信判断ステップは、地上デジタル放送を受信終了かどうか判断する。判断の結果、地上デジタル放送を受信終了しない場合にはステップＳ０３０２に戻り、地上デジタル放送を受信終了する場合には処理を終了する（ステップＳ０３１１）。
なお、上記ステップＳ０３０３とＳ０３０４は、その実行する順番が逆になっていてもよいし、同時であってもよい。また、ステップＳ０３０３は、ステップＳ０３０７又はＳ０３０８の処理の直前に実行されるように構成されていてもよい。さらに、ステップＳ０３０４は、ステップＳ０３０７又はＳ０３１０の処理の直前に実行されるように構成されていてもよい。
【００２７】
（ハードウェア構成図）
以下に、本実施形態のハードウェア構成の一例について説明する。
図４は、本実施例の地上デジタル放送受信機能付携帯装置のハードウェア構成の一例を示す概略図である。この図を利用して、地上デジタル放送受信機能付携帯装置のそれぞれのハードウェア構成部の働きについて説明する。この図にあるように、地上デジタル放送受信機能付携帯装置０４００は、地上デジタル放送受信部０４０１に「アンテナ」（０４０３）と、「チューナ」（０４０４）と、を備えている。また、地上デジタル放送受信機能付携帯装置は、受信品質情報検出部０４０２に「受信感度検出器」（０４０５）と、「受信電力検出器」（０４０６）と、「Ｃ／Ｎ検出器」（０４０７）と、「ＢＥＲ検出器」（０４０８）と、を備えている。また、地上デジタル放送受信機能付携帯装置は、選択出力部０４０９と、スピーカ０４１０と、ディスプレイ０４１１と、を備えている。また、地上デジタル放送受信機能付携帯装置は、「ＣＰＵ（中央処理装置）」（０４１２）と、「メモリ」（０４１３）と、「内蔵時計」（０４１４）と、を備えている。そして、それらが「システムバス」（０４１５）などのデータ通信経路によって相互に接続され、情報の送受信や処理を行う。メモリは、ＣＰＵにて実行される各種プログラム（例えば概略情報取得用プログラム、詳細情報取得用プログラムなど）を記憶している。またＣＰＵは、メモリに記憶されているプログラムを実行するために読み出す。また、メモリにはメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。
【００２８】
以下に、概略情報又は／及び詳細情報を選択してスピーカ又は／及びディスプレイに出力する場合について説明する。まず、地上デジタル放送受信機能付携帯装置の電源を入れると、ＣＰＵ（プログラム）は概略情報取得用プログラム（アドレス０１）又は／及び詳細情報取得用プログラム（アドレス０２）を起動する。次にアンテナは、地上デジタル放送を受信する。次にチューナは、アンテナが受信する放送チャンネルを選局する。次に受信品質情報検出部のＢＥＲ検出器、Ｃ／Ｎ検出器、受信電力検出器、受信感度検出器は、チューナが選局した地上デジタル放送のＢＥＲ、Ｃ／Ｎ、受信電力、受信感度をそれぞれ検出し、それらのデータをメモリに出力する。次にＣＰＵ（プログラム）は、メモリに記憶されている前記データ（ＢＥＲ、Ｃ／Ｎ、受信電力、受信感度などの情報）にアクセスして、概略情報又は／及び詳細情報を生成し、それらのデータをメモリに出力する。次に選択出力部は、メモリに記憶されている概略情報又は／及び詳細情報を選択し、スピーカ又は／及びディスプレイに出力する。以上が各ハードウェア構成の機能及び動作の一例である。
【００２９】
（実施例１）
以下に、本実施形態の実施例１について説明する。
図５は本実施例に係る地上デジタル放送受信機能付携帯装置のハードウェア構成の一例を示すである。
アンテナ（地上デジタル放送受信部に相当）０５０１と、チューナ０５０２（地上デジタル放送受信部に相当）と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器（受信品質情報検出部に相当）０５０３と、デコーダ部（受信品質情報検出部に相当）０５０４と、メモリ０５０５と、タイマ０５０６と、ＣＰＵ（０５０７）と、映像信号処理部０５０８と、音声信号処理部０５０９と、発音部０５１０と、表示部０５１１より構成される。
【００３０】
アンテナ０５０１より受信された地上デジタル放送信号は、チューナ０５０２、ＯＦＤＭ復調器０５０３、デコーダ部０５０４を経由し、音声信号と映像信号に復元され、音声信号は音声信号処理部０５０９を経由し発音部０５１０により再生され、映像信号は映像信号処理部０５０８を経由して表示部０５１１に再生される。
【００３１】
図６は、図５に示す地上デジタル放送受信機能付携帯装置のＯＦＤＭ復調器０５０３の内部構成の一例を示す機能ブロック図である。図５のＯＦＤＭ復調器０５０３は、図６に示すように、直交復調部０６０１と、位相補正部０６０２と、ＦＦＴ（Ｆａｓｔ  Ｆｏｕｒｉｅｒ  Ｔｒａｎｓｆｏｒｍ：高速フーリエ変換）部０６０３と、フレーム同期部０６０４と、検波部０６０５と、周波数・時間デインターリーブ部０６０６と、ビットデインターリーブ部０６０７と、ビタビ復号部０６０８と、バイトデインターリーブ部０６０９と、エネルギー拡散部０６１０と、ＴＳ再生部０６１１と、ＲＳ復号部０６１２と、を有している。
【００３２】
直交復調部０６０１には、図５に示す地上デジタル放送受信機能付携帯装置のチューナ０５０２でＩＦ（中間周波数）信号に変換された放送信号がデジタル化されて入力される。直交復調部０６０１に入力された放送信号は、位相補正部０６０２、ＦＦＴ部０６０３、フレーム同期部０６０４を経て、検波部０６０５に入力される。検波部０６０５では、放送信号のＣ／Ｎ（Ｃａｒｒｉｅｒ  ｔｏ  Ｎｏｉｓｅ）比に関するパラメータが検出され、検出されたＣ／Ｎ信号がＣ／Ｎ出力部０６１３を介して出力される。
【００３３】
一方、検波部０６０５から出力されるＴＳ（Ｔｒａｎｓｐｏｒｔ  Ｓｔｒｅａｍ）信号は、周波数・時間デインターリーブ部０６０６、ビットデインターリーブ部０６０７、ビタビ復号部０６０８、バイトデインターリーブ部０６０９、エネルギー拡散部０６１０、ＴＳ再生部０６１１、ＲＳ（Ｒｅｅｄ−Ｓｏｌｏｍｏｎ）復号部０６１２を経て、ＢＥＲ（Ｂｉｔ  Ｅｒｒｏｒ  Ｒａｔｅ、誤り率）に関するパラメータはＢＥＲ出力部０６１４を介して図５に示す地上デジタル放送受信機能付携帯装置のＣＰＵ（０５０７）に出力され、ＴＳ信号はＴＳ出力部０６１５を介してデコーダ部０５０４（図５）に出力される。
【００３４】
尚、ＲＳ復号をオフにしてＢＥＲを出力し、ＢＥＲの値がある基準値を満たす場合にＲＳ復号をオンにしてＴＳを出力するように設定することも可能である。
【００３５】
また、後述するように受信映像と受信感度とを同時に表示させる場合には、Ｃ／Ｎ比とＲＳ（Ｒｅｅｄ−Ｓｏｌｏｍｏｎ）復号後のＢＥＲを検出し、ＴＳも常にデコーダ部０５０４に送出しておくことも可能である。受信電力に関しては、直交復調部０６０１よりも前段側に配置された図５のチューナ０５０２からの出力ＩＦを制御するＡＧＣ（Ａｕｔｏ  Ｇａｉｎ  Ｃｏｎｔｒｏｌ）の値から判断できる。
【００３６】
尚、ＯＦＤＭ復調器０５０３内の各構成要素（図６に示す）は、一般的なＯＦＤＭ復調器に含まれる構成要素と同様であり、それぞれの構成要素に関する説明は省略する。
【００３７】
図７は、本実施例に係る地上デジタル放送受信機能付携帯装置において、映像とデータ放送を同時に表示しているときに概略情報を表示する一例を示す図である。受信感度の概略情報表示０７０１、テレビ映像表示０７０２、ＢＭＬ（Ｂｒｏａｄｃａｓｔ  Ｍａｒｋｕｐ  Ｌａｎｇｕａｇｅ）データ放送表示０７０３、ソフトキーガイダンス０７０４を行う。
【００３８】
図８は、本実施例に係る地上デジタル放送受信機能付携帯装置において、映像とデータ放送を同時に表示しているときに詳細情報（受信感度）を表示する一例を示す図である。データ放送の表示領域である０８０１に受信感度の現在のレベルを表示し、０８０２に説明の提示を行う。受信感度の詳細情報表示を行う場合、受信感度の概略情報表示０８０３を行ってもよい。０８０１、０８０２は受信感度の表示のほか、ＢＥＲ表示、Ｃ／Ｎ表示、受信電力の表示を行ってもよく、またその全ての表示を同時に行ってもよい。
【００３９】
図９は、本実施例に係る地上デジタル放送受信機能付携帯装置において、映像とデータ放送を同時に表示しているときに受信不可状態の表示の一例を示す図である。映像の表示領域である０９０１にユーザーに対するガイダンス表示を行う。ガイダンス表示内容は、単純に現在テレビ受信ができないことを通知してもよく、また受信ができない理由を詳細に表示してもよい。なお、０９０２の点線で囲まれた領域は概略情報を表示するための領域であるが、この場合には、受信不可の状態であるので「空（から）」の概略情報を表示している。
【００４０】
図１０は、本実施例に係る地上デジタル放送受信機能付携帯装置の映像全画面表示の一例である。受信感度の概略情報表示１００１、テレビ映像表示１００２を行う。
【００４１】
図１１は、本実施例に係る地上デジタル放送受信機能付携帯装置の映像全画面表示における受信感度の詳細情報表示の一例を示す図である。１１０１に受信感度の現在のレベルを表示し、１１０２に説明の提示を行う。受信感度の詳細情報表示を行う場合、受信感度の概略情報表示１１０３を行ってもよい。１１０１、１１０２は受信感度の表示のほか、ＢＥＲ表示、Ｃ／Ｎ表示、受信電力の表示を行ってもよく、またその全ての表示を同時に行ってもよい。また、受信感度の詳細情報表示はテレビ映像に重ねてもよく（図１１の場合）、テレビ画像を消し単独で表示しても良い。
【００４２】
図１２は、本実施例に係る地上デジタル放送受信機能付携帯装置の映像全画面表示における受信不可状態の表示の一例を示す図である。１２０１にユーザーに対するガイダンス表示を行う。ガイダンス表示内容は、単純に現在テレビ受信ができないことを通知してもよく、また受信ができない理由を詳細に表示してもよい。なお、１２０２の点線で囲まれた領域は概略情報を表示するための領域であるが、この場合には、受信不可の状態であるので「空（から）」の概略情報を表示している。
【００４３】
図１３は、本実施例に係る地上デジタル放送受信機能付携帯装置のテレビ起動時の受信レベル表示に関するフローチャートの一例である。ここで図３の処理の流れとの主な相違点は、図１３においては、映像表示不可の場合に限って詳細情報を表示する点である。以下に各フローについて説明する。未起動状態（ＳＴＡＲＴ）よりテレビ起動してテレビ放送受信開始（ステップＳ１３０１）がされ、受信感度検出（受信品質情報検出）（ステップＳ１３０２）を行う。概略情報（受信レベル）表示設定の判定（ステップＳ１３０３）にて概略情報（受信レベル）表示設定中の場合は、概略情報（受信レベル）表示（ステップＳ１３０４）を行う。映像表示の可否判断（ステップＳ１３０５）を行い、可能な場合は映像表示（ステップＳ１３０６）を行い、不可能な場合は、詳細情報（受信レベル）表示（ステップＳ１３０７）を行う。次に、テレビ放送受信終了かどうか判断し、判断の結果、テレビ放送受信終了でなければステップＳ１３０２に戻り、テレビ放送受信終了であれば処理を終了する（ステップＳ１３０８）。
【００４４】
図１４は、本実施例に係る地上デジタル放送受信機能付携帯装置に関して、テレビ放送受信中に受信感度劣化が発生した場合の詳細情報表示に関するフローチャートの一例である。未起動状態（ＳＴＡＲＴ）よりテレビ起動してテレビ放送が受信開始される（ステップＳ１４０１）。次に、受信感度（受信品質情報）劣化が発生したかどうか判断し、判断の結果、受信感度劣化が発生した場合にはステップＳ１４０３に進み、受信感度劣化が発生していない場合にはステップＳ１４０５に進む（ステップＳ１４０２）。次に、判断の結果、受信感度劣化が発生した場合には、さらに、劣化時詳細情報表示設定の有無判定（ステップＳ１４０３）を行い、劣化時詳細情報表示設定有りの場合は詳細情報（受信レベル）表示（ステップＳ１４０４）を行い、映像表示（ステップＳ１４０５）を行う。劣化時詳細情報表示設定無しの場合は、詳細情報（受信レベル）表示を行わず、映像表示（ステップＳ１４０５）を行う。次に、テレビ放送受信中かどうか判断し、判断の結果、テレビ放送受信終了でなければステップＳ１４０２に戻り、テレビ放送受信終了であれば処理を終了する（ステップＳ１４０６）。
【００４５】
図１５は、本実施例に係る地上デジタル放送受信機能付携帯装置に関して、テレビ放送受信中にユーザー操作による詳細情報表示切替があった場合のフローチャートの一例である。テレビ放送を受信開始し（ステップＳ１５０１）、ユーザーからの詳細情報表示切替操作が有るかどうか判断する。判断の結果、有りの場合はステップＳ１５０３に進み、無しの場合はステップＳ１５０６に進む（ステップＳ１５０２）。次に、ユーザーからの詳細情報表示切替操作が有った場合には、さらに現在の詳細情報（受信感度）表示状態の判定（ステップＳ１５０３）を行い、詳細情報（受信感度）表示中であれば詳細情報（受信感度）表示の停止（ステップＳ１５０４）を行い、詳細情報（受信感度）表示中で無ければ詳細情報（受信感度）表示（ステップＳ１５０５）を行う。次に、テレビ放送受信終了かどうか判断し、判断の結果、テレビ放送受信終了でなければステップＳ１５０２に戻り、テレビ放送受信終了であれば処理を終了する（ステップＳ１５０６）。
【００４６】
本実施例は、チューナ０５０２からの出力ＩＦを制御するＡＧＣ、ＢＥＲ出力部０６１４、Ｃ／Ｎ出力部０６１３を元に受信感度を検出し、受信感度の概略情報表示手段０８０３、１１０３及び受信感度の詳細情報表示手段０８０１、１１０１を持ち、受信感度の概略情報表示と受信感度の詳細情報表示を同時または切り替えて行うように構成されていてもよい。
【００４７】
<実施形態１の効果の簡単な説明>
本実施形態によれば、地上デジタル放送の受信品質情報を検出し、検出した受信品質情報に基づいて概略情報又は／及び詳細情報を表示することができる。
【００４８】
<<実施形態２>>
以下に、実施形態２について説明する。
<実施形態２の概念>
以下に本実施形態の概念について説明する。本実施形態は、選択出力部が、どのように選択をするかを定める選択ルールを保持する選択ルール保持手段と、保持されている選択ルールをユーザー操作により変更するための選択ルール変更手段と、を有する実施形態１に記載の地上デジタル放送受信機能付携帯装置に関する。
【００４９】
<構成要件の明示>
以下に、本実施形態の構成要件を明示する。
図１６は、本実施形態の機能ブロックの一例を示す図である。地上デジタル放送受信機能付携帯装置１６００は、地上デジタル放送受信部１６０１と、受信品質情報検出部１６０２と、概略情報取得部１６０３と、詳細情報取得部１６０４と、選択出力部１６０５と、からなる。また、選択出力部は、選択ルール保持手段１６０６と、選択ルール変更手段１６０７と、を有する。
【００５０】
<構成要件の説明>
以下に、本実施形態の構成要件について説明をする。
（地上デジタル放送受信部）、（受信品質情報検出部）、（概略情報取得部）、（詳細情報取得部）
【００５１】
「地上デジタル放送受信部」、「受信品質情報検出部」、「概略情報取得部」、「詳細情報取得部」については、実施形態１と同様なので説明を省略する。
【００５２】
（選択出力部）
「選択出力部」は、選択ルール保持手段と、選択ルール変更手段と、を有するように構成されている。それ以外の点は実施形態１と同様なので説明を省略する。
（選択ルール保持手段）
「選択ルール保持手段」は、どのように選択をするかを定める選択ルールを保持するように構成されている。ここで「選択ルール」には、一例として、（ビットエラーレイトが基準値以上になった場合には詳細情報を選択する）、（ビットエラーレイトが基準値以下であり、かつ、Ｃ／Ｎが基準値以上である場合には概略情報を選択する）、ビットエラーレイトが基準値以下で、かつ、受信電力が基準値以下の場合には、概略情報及び詳細情報を選択する）などのルールが挙げられる。選択ルール保持手段に保持されている選択ルールは、選択出力部での選択に利用される。
（選択ルール変更手段）
「選択ルール変更手段」は、保持されている選択ルールをユーザー操作により変更するように構成されている。ここで「ユーザー操作」には、例えば、スクロールボタンや、タッチパネルなどによる操作が挙げられる。なお、変更する選択ルールの一覧は、一例として、メモリのテーブルなどに保持されている。
【００５３】
<処理の流れ>
以下に、本実施形態の処理の流れについて説明する。
図１７は、本実施形態の処理の流れの一例を示す図である。
ステップＳ１７０１〜Ｓ１７０４については、実施形態１のステップＳ０３０１〜Ｓ０３０４と同様なので説明を省略する。
次に、選択ルール変更ステップは、保持されている選択ルールをユーザー操作により変更するかどうか判断する。判断の結果、変更する場合はステップＳ１７０６に進み、変更しない場合は、ステップＳ１７１４に進む（ステップＳ１７０５）。
次に、選択出力ステップは、変更されたルールに従って選択を開始する（ステップＳ１７０６）。
次に、選択出力ステップは、概略情報を選択するか判断する。判断の結果、概略情報を選択する場合には、ステップＳ１７０８に進み、概略情報を選択しない場合には、ステップＳ１７１１に進む（ステップＳ１７０７）。
次に、選択出力ステップは、判断の結果、概略情報を選択する場合に、さらに詳細情報を選択するか判断する。判断の結果、詳細情報を選択する場合には、ステップＳ１７０９に進み、詳細情報を選択しない場合には、ステップＳ１７１０に進む（ステップＳ１７０８）。
次に、選択出力ステップは、概略情報及び詳細情報を選択する場合には、概略情報及び詳細情報を選択してディスプレイ又は／及びスピーカに出力して、ステップＳ１７１３に進む（ステップＳ１７０９）。
次に、選択出力ステップは、概略情報のみを選択する場合には、概略情報を選択してディスプレイ又は／及びスピーカに出力して、ステップＳ１７１３に進む（ステップＳ１７１０）。
次に、選択出力ステップは、概略情報を選択しない場合に、さらに詳細情報を選択するか判断する。判断の結果、詳細情報を選択する場合には、ステップＳ１７１２に進み、詳細情報を選択しない場合には、ディスプレイ又は／及びスピーカに出力しないでステップＳ１７１３に進む（ステップＳ１７１１）。
次に、選択出力ステップは、詳細情報のみを選択する場合には、詳細情報を選択してディスプレイ又は／及びスピーカに出力して、ステップＳ１７１３に進む（ステップＳ１７１２）。
次に、受信判断ステップは、地上デジタル放送を受信終了かどうか判断する。判断の結果、地上デジタル放送を受信終了しない場合にはステップＳ１７０２に戻り、地上デジタル放送を受信終了する場合には処理を終了する（ステップＳ１７１３）。
次に、選択出力ステップは、変更前の選択ルールに従って選択を開始し、ステップＳ１７０７に進む（ステップＳ１７１４）。
なお、上記ステップＳ１７０３とＳ１７０４は、その実行する順番が逆になっていてもよいし、同時であってもよい。また、ステップＳ１７０３は、ステップＳ１７０９又はＳ１７１０の処理の直前に実行されるように構成されていてもよい。さらに、ステップＳ１７０４は、ステップＳ１７０９又はＳ１７１２の処理の直前に実行されるように構成されていてもよい。
【００５４】
（ハードウェア構成図）
以下に、本実施形態のハードウェア構成の一例について説明する。
図１８は、本実施例の地上デジタル放送受信機能付携帯装置のハードウェア構成の一例を示す概略図である。この図を利用して、地上デジタル放送受信機能付携帯装置のそれぞれのハードウェア構成部の働きについて説明する。この図にあるように、地上デジタル放送受信機能付携帯装置１８００は、地上デジタル放送受信部１８０１に「アンテナ」（１８０３）と、「チューナ」（１８０４）と、を備えている。また、地上デジタル放送受信機能付携帯装置は、受信品質情報検出部１８０２に「受信感度検出器」（１８０５）と、「受信電力検出器」（１８０６）と、「Ｃ／Ｎ検出器」（１８０７）と、「ＢＥＲ検出器」（１８０８）と、を備えている。また、地上デジタル放送受信機能付携帯装置は、選択出力部１８０９に「選択ルール保持手段」（１８１０）を備えている。選択ルール保持手段は、「フラッシュメモリ」（１８１１）を有している。また、地上デジタル放送受信機能付携帯装置は、スピーカ１８１２と、ディスプレイ１８１３と、Ｉ／Ｆ（１８１８：入力インタフェース）と、を備えている。また、地上デジタル放送受信機能付携帯装置は、「ＣＰＵ（中央処理装置）」（１８１４）と、「メモリ」（１８１５）と、「内蔵時計」（１８１６）と、を備えている。そして、それらが「システムバス」（１８１７）などのデータ通信経路によって相互に接続され、情報の送受信や処理を行う。メモリは、ＣＰＵにて実行される各種プログラム（例えば概略情報取得用プログラム、詳細情報取得用プログラム、選択ルール変更用プログラムなど）を記憶している。またＣＰＵは、メモリに記憶されているプログラムを実行するために読み出す。また、メモリにはメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。
【００５５】
以下に、選択ルールの変更に従って、選択される概略情報又は／及び詳細情報をスピーカ又は／及びディスプレイに出力する場合について説明する。まず、地上デジタル放送受信機能付携帯装置の電源を入れると、ＣＰＵ（プログラム）は概略情報取得用プログラム（アドレス０１）又は／及び詳細情報取得用プログラム（アドレス０２）を起動する。次にアンテナは、地上デジタル放送を受信する。次にチューナは、アンテナが受信する放送チャンネルを選局する。次に受信品質情報検出部のＢＥＲ検出器、Ｃ／Ｎ検出器、受信電力検出器、受信感度検出器は、チューナが選局した地上デジタル放送のＢＥＲ、Ｃ／Ｎ、受信電力、受信感度をそれぞれ検出し、それらのデータをメモリに出力する。次にＣＰＵ（プログラム）は、メモリに記憶されている前記データ（ＢＥＲ、Ｃ／Ｎ、受信電力、受信感度などの情報）にアクセスして、概略情報又は／及び詳細情報を生成し、それらのデータをメモリに出力する。ユーザー操作によりＩ／Ｆ（インタフェース）を介して選択ルール変更用プログラム（アドレス０３）が起動される場合について説明する。ＣＰＵ（プログラム）は、選択ルール変更用プログラムを実行して、選択ルールを変更し、そのデータをフラッシュメモリに出力する。次に選択出力部は、フラッシュメモリに記憶されている変更された選択ルールに従って、メモリに記憶されている概略情報又は／及び詳細情報を選択し、スピーカ又は／及びディスプレイに出力する。また、選択ルールによる選択は、一例として、以下のように行われる。以下では、内蔵時計が示す時刻に対応して選択をする場合について説明する。ここで変更後の選択ルール保持手段に保持されている選択ルールが、「午後３時にビットエラーレイトが基準値３０％以上であれば詳細情報を選択する」であるとする。内蔵時計が、午後３時を指し示したとき、ＣＰＵ（プログラム）は、メモリに記憶されているビットエラーレイトを取得してその値が３０％以上であるかどうか判断する。判断の結果、３０％以上であれば、ビットエラーレイトの詳細情報を選択する。以上が各ハードウェア構成の機能及び動作の一例である。
【００５６】
<実施形態２の効果の簡単な説明>
本実施形態によれば、保持されている選択ルールをユーザー操作により変更することができる。
【００５７】
<<実施形態３>>
以下に、実施形態３について説明する。
<実施形態３の概念>
以下に本実施形態の概念について説明する。本実施形態は、選択出力部が、受信品質情報検出部が検出した受信品質情報に応じて前記選択をする受信品質情報依存選択手段を有する実施形態１又は２に記載の地上デジタル放送受信機能付携帯装置に関する。
【００５８】
<構成要件の明示>
以下に、本実施形態の構成要件を明示する。
図１９は、本実施形態の機能ブロックの一例を示す図である。地上デジタル放送受信機能付携帯装置１９００は、地上デジタル放送受信部１９０１と、受信品質情報検出部１９０２と、概略情報取得部１９０３と、詳細情報取得部１９０４と、選択出力部１９０５と、からなる。また、選択出力部は、受信品質情報依存選択手段１９０８を有する。さらに、選択出力部は、選択ルール保持手段１９０６と、選択ルール変更手段１９０７と、を有する構成であってもよい。
【００５９】
<構成要件の説明>
以下に、本実施形態の構成要件について説明をする。
【００６０】
（地上デジタル放送受信部）、（受信品質情報検出部）、（概略情報取得部）、（詳細情報取得部）、（選択ルール保持手段）、（選択ルール変更手段）
【００６１】
「地上デジタル放送受信部」、「受信品質情報検出部」、「概略情報取得部」、「詳細情報取得部」、「選択ルール保持手段」、「選択ルール変更手段」については、実施形態１又は２と同様なので説明を省略する。
【００６２】
（選択出力部）
「選択出力部」は、受信品質情報依存選択手段を有するように構成されている。それ以外の点は実施形態１又は２と同様なので説明を省略する。
（受信品質情報依存選択手段）
「受信品質情報依存選択手段」は、受信品質情報検出部が検出した受信品質情報に応じて選択をするように構成されている。ここで「受信品質情報に応じて選択をする」とは、一例として、「受信品質情報が基準値より高い場合には詳細情報を選択する」、「受信品質情報が基準値より低い場合には概略情報を選択する」、「受信品質情報であるビットエラーレイトが基準値より低く、かつ、Ｃ／Ｎが基準値より低い場合には概略情報及び詳細情報を選択する」ことなどが挙げられる。
【００６３】
<処理の流れ>
以下に、本実施形態の処理の流れについて説明する。
図２０は、本実施形態の処理の流れの一例を示す図である。
ステップＳ２００１〜Ｓ２００４については、実施形態１のステップＳ０３０１〜Ｓ０３０４と同様なので説明を省略する。
次に、受信品質情報依存選択ステップは、受信品質情報検出部が検出した受信品質情報に応じて選択を開始する（ステップＳ２００５）。
次に、選択出力ステップは、概略情報を選択するか判断する。判断の結果、概略情報を選択する場合には、ステップＳ２００７に進み、概略情報を選択しない場合には、ステップＳ２０１０に進む（ステップＳ２００６）。
次に、選択出力ステップは、判断の結果、概略情報を選択する場合に、さらに詳細情報を選択するか判断する。判断の結果、詳細情報を選択する場合には、ステップＳ２００８に進み、詳細情報を選択しない場合には、ステップＳ２００９に進む（ステップＳ２００７）。
次に、選択出力ステップは、概略情報及び詳細情報を選択する場合には、概略情報及び詳細情報を選択してディスプレイ又は／及びスピーカに出力して、ステップＳ２０１２に進む（ステップＳ２００８）。
次に、選択出力ステップは、概略情報のみを選択する場合には、概略情報を選択してディスプレイ又は／及びスピーカに出力して、ステップＳ２０１２に進む（ステップＳ２００９）。
次に、選択出力ステップは、概略情報を選択しない場合に、さらに詳細情報を選択するか判断する。判断の結果、詳細情報を選択する場合には、ステップＳ２０１１に進み、詳細情報を選択しない場合には、ディスプレイ又は／及びスピーカに出力しないで処理を終了する（ステップＳ２０１０）。
次に、選択出力ステップは、詳細情報のみを選択する場合には、詳細情報を選択してディスプレイ又は／及びスピーカに出力して、ステップＳ２０１２に進む（ステップＳ２０１１）。
次に、受信判断ステップは、地上デジタル放送を受信終了かどうか判断する。判断の結果、地上デジタル放送を受信終了しない場合にはステップＳ２００２に戻り、地上デジタル放送を受信終了する場合には処理を終了する（ステップＳ２０１２）。
なお、上記ステップＳ２００３とＳ２００４は、その実行する順番が逆になっていてもよいし、同時であってもよい。また、ステップＳ２００３は、ステップＳ２００８又はＳ２００９の処理の直前に実行されるように構成されていてもよい。さらに、ステップＳ２００４は、ステップＳ２００８又はＳ２０１１の処理の直前に実行されるように構成されていてもよい。
【００６４】
（ハードウェア構成図）
以下に、本実施形態のハードウェア構成の一例について説明する。
図２１は、本実施例の地上デジタル放送受信機能付携帯装置のハードウェア構成の一例を示す概略図である。この図を利用して、地上デジタル放送受信機能付携帯装置のそれぞれのハードウェア構成部の働きについて説明する。この図にあるように、地上デジタル放送受信機能付携帯装置２１００は、地上デジタル放送受信部２１０１に「アンテナ」（２１０３）と、「チューナ」（２１０４）と、を備えている。また、地上デジタル放送受信機能付携帯装置は、受信品質情報検出部２１０２に「受信感度検出器」（２１０５）と、「受信電力検出器」（２１０６）と、「Ｃ／Ｎ検出器」（２１０７）と、「ＢＥＲ検出器」（２１０８）と、を備えている。また、地上デジタル放送受信機能付携帯装置は、選択出力部２１０９に「選択ルール保持手段」（２１１０）と、「受信品質情報依存選択手段」（２１１２）と、を備えている。選択ルール保持手段は、「フラッシュメモリ」（２１１１）を有している。また、地上デジタル放送受信機能付携帯装置は、スピーカ２１１３と、ディスプレイ２１１４と、Ｉ／Ｆ（２１１９：入力インタフェース）と、を備えている。また、地上デジタル放送受信機能付携帯装置は、「ＣＰＵ（中央処理装置）」（２１１５）と、「メモリ」（２１１６）と、「内蔵時計」（２１１７）と、を備えている。そして、それらが「システムバス」（２１１８）などのデータ通信経路によって相互に接続され、情報の送受信や処理を行う。メモリは、ＣＰＵにて実行される各種プログラム（例えば概略情報取得用プログラム、詳細情報取得用プログラム、選択ルール変更用プログラムなど）を記憶している。またＣＰＵは、メモリに記憶されているプログラムを実行するために読み出す。また、メモリにはメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。
【００６５】
以下に、受信品質情報検出部が検出した受信品質情報に応じて選択される概略情報又は／及び詳細情報をスピーカ又は／及びディスプレイに出力する場合について説明する。まず、地上デジタル放送受信機能付携帯装置の電源を入れると、ＣＰＵ（プログラム）は概略情報取得用プログラム（アドレス０１）又は／及び詳細情報取得用プログラム（アドレス０２）を起動する。次にアンテナは、地上デジタル放送を受信する。次にチューナは、アンテナが受信する放送チャンネルを選局する。次に受信品質情報検出部のＢＥＲ検出器、Ｃ／Ｎ検出器、受信電力検出器、受信感度検出器は、チューナが選局した地上デジタル放送のＢＥＲ、Ｃ／Ｎ、受信電力、受信感度をそれぞれ検出し、それらのデータをメモリに出力する。次にＣＰＵ（プログラム）は、メモリに記憶されている前記データ（ＢＥＲ、Ｃ／Ｎ、受信電力、受信感度などの情報）にアクセスして、概略情報又は／及び詳細情報を生成し、それらのデータをメモリに出力する。次に選択出力部の受信品質情報依存選択手段は、受信品質情報検出部が検出した受信品質情報に応じて概略情報又は／及び詳細情報を選択する。次に選択出力部は、前記選択結果に基づいてメモリに記憶されている概略情報又は／及び詳細情報を、スピーカ又は／及びディスプレイに出力する。以上が各ハードウェア構成の機能及び動作の一例である。
【００６６】
<実施形態３の効果の簡単な説明>
本実施形態によれば、受信品質情報検出部が検出した受信品質情報に応じて概略情報又は／及び詳細情報の選択をすることができる。従って、例えば、受信品質が良好な場合には、概略情報表示のみ行い、受信品質が劣化した場合には、自動的に詳細情報に切り替えることなどが可能となる。
【００６７】
<<実施形態４>>
以下に、実施形態４について説明する。
<実施形態４の概念>
以下に本実施形態の概念について説明する。本実施形態は、選択出力部が、選択すべき情報をユーザー操作による入力で受け付ける操作選択手段を有する実施形態１又は２に記載の地上デジタル放送受信機能付携帯装置に関する。
【００６８】
<構成要件の明示>
以下に、本実施形態の構成要件を明示する。
図２２は、本実施形態の機能ブロックの一例を示す図である。地上デジタル放送受信機能付携帯装置２２００は、地上デジタル放送受信部２２０１と、受信品質情報検出部２２０２と、概略情報取得部２２０３と、詳細情報取得部２２０４と、選択出力部２２０５と、からなる。また、選択出力部は、操作選択手段２２０８を有する。さらに、選択出力部は、選択ルール保持手段２２０６と、選択ルール変更手段２２０７と、を有する構成であってもよい。
【００６９】
<構成要件の説明>
以下に、本実施形態の構成要件について説明をする。
【００７０】
（地上デジタル放送受信部）、（受信品質情報検出部）、（概略情報取得部）、（詳細情報取得部）、（選択ルール保持手段）、（選択ルール変更手段）
【００７１】
「地上デジタル放送受信部」、「受信品質情報検出部」、「概略情報取得部」、「詳細情報取得部」、「選択ルール保持手段」、「選択ルール変更手段」については、実施形態１又は２と同様なので説明を省略する。
【００７２】
（選択出力部）
「選択出力部」は、操作選択手段を有するように構成されている。それ以外の点は実施形態１又は２と同様なので説明を省略する。
（操作選択手段）
「操作選択手段」は、選択すべき情報をユーザー操作による入力で受け付けるように構成されている。ここで「選択すべき情報」には、一例として、「受信品質情報の概略情報」、「受信品質情報の詳細情報」、「ビットエラーレイト、Ｃ／Ｎ、受信電力、受信電界強度、受信感度の詳細情報」、「受信電力の概略情報」などが挙げられる。また「ユーザー操作」には、例えば、スクロールボタンや、タッチパネルなどによる操作が挙げられる。
【００７３】
図２３は、ユーザー操作による入力の一例を説明するための図である。図２３は、例えば、携帯端末の表示画面であり、選択すべき情報の一覧が表示されている。この図の場合には、選択すべき情報の一覧として、１．ＢＥＲ表示、２．Ｃ／Ｎ表示、３．受信電力表示、４．受信感度表示、５．総合表示、の詳細情報の項目が示されている。このうち白抜き文字の項目である１．ＢＥＲ表示、３．受信電力表示、が選択すべき情報として選択されている。
【００７４】
図２４は、図２３の選択画面により選択した結果の表示の一例を説明するための図である。この図においてＢＥＲレベル２４０１は、５％であることを示している。また受信電力レベル２４０２は、８０％であることを示している。また２４０３は、概略情報表示を示している。
【００７５】
<処理の流れ>
以下に、本実施形態の処理の流れについて説明する。
図２５は、本実施形態の処理の流れの一例を示す図である。
ステップＳ２５０１〜Ｓ２５０４については、実施形態１のステップＳ０３０１〜Ｓ０３０４と同様なので説明を省略する。
次に、操作選択ステップは、選択すべき情報をユーザー操作による入力で受け付けるかどうか判断する。判断の結果、受け付ける場合はステップＳ２５０６に進み、受け付けない場合は、ステップＳ２５０７に進む（ステップＳ２５０５）。
次に、選択出力ステップは、受け付けた入力に従って選択を開始する（ステップＳ２５０６）。
次に、選択出力ステップは、概略情報を選択するか判断する。判断の結果、概略情報を選択する場合には、ステップＳ２５０８に進み、概略情報を選択しない場合には、ステップＳ２５１１に進む（ステップＳ２５０７）。
次に、選択出力ステップは、判断の結果、概略情報を選択する場合に、さらに詳細情報を選択するか判断する。判断の結果、詳細情報を選択する場合には、ステップＳ２５０９に進み、詳細情報を選択しない場合には、ステップＳ２５１０に進む（ステップＳ２５０８）。
次に、選択出力ステップは、概略情報及び詳細情報を選択する場合には、概略情報及び詳細情報を選択してディスプレイ又は／及びスピーカに出力して、ステップＳ２５１３に進む（ステップＳ２５０９）。
次に、選択出力ステップは、概略情報のみを選択する場合には、概略情報を選択してディスプレイ又は／及びスピーカに出力して、ステップＳ２５１３に進む（ステップＳ２５１０）。
次に、選択出力ステップは、概略情報を選択しない場合に、さらに詳細情報を選択するか判断する。判断の結果、詳細情報を選択する場合には、ステップＳ２５１２に進み、詳細情報を選択しない場合には、ディスプレイ又は／及びスピーカに出力しないでステップＳ２５１３に進む（ステップＳ２５１１）。
次に、選択出力ステップは、詳細情報のみを選択する場合には、詳細情報を選択してディスプレイ又は／及びスピーカに出力して、ステップＳ２５１３に進む（ステップＳ２５１２）。
次に、受信判断ステップは、地上デジタル放送を受信終了かどうか判断する。判断の結果、地上デジタル放送を受信終了しない場合にはステップＳ２５０２に戻り、地上デジタル放送を受信終了する場合には処理を終了する（ステップＳ２５１３）。
なお、上記ステップＳ２５０３とＳ２５０４は、その実行する順番が逆になっていてもよいし、同時であってもよい。また、ステップＳ２５０３は、ステップＳ２５０９又はＳ２５１０の処理の直前に実行されるように構成されていてもよい。さらに、ステップＳ２５０４は、ステップＳ２５０９又はＳ２５１２の処理の直前に実行されるように構成されていてもよい。
【００７６】
（ハードウェア構成図）
以下に、本実施形態のハードウェア構成の一例について説明する。
図２６は、本実施例の地上デジタル放送受信機能付携帯装置のハードウェア構成の一例を示す概略図である。この図を利用して、地上デジタル放送受信機能付携帯装置のそれぞれのハードウェア構成部の働きについて説明する。この図にあるように、地上デジタル放送受信機能付携帯装置２６００は、地上デジタル放送受信部２６０１に「アンテナ」（２６０３）と、「チューナ」（２６０４）と、を備えている。また、地上デジタル放送受信機能付携帯装置は、受信品質情報検出部２６０２に「受信感度検出器」（２６０５）と、「受信電力検出器」（２６０６）と、「Ｃ／Ｎ検出器」（２６０７）と、「ＢＥＲ検出器」（２６０８）と、を備えている。また、地上デジタル放送受信機能付携帯装置は、選択出力部２６０９に「選択ルール保持手段」（２６１０）と、Ｉ／Ｆ（２６１２：選択操作用入力インタフェース）と、を備えている。選択ルール保持手段は、「フラッシュメモリ」（２６１１）を有している。また、地上デジタル放送受信機能付携帯装置は、スピーカ２６１３と、ディスプレイ２６１４と、Ｉ／Ｆ（２６１９：入力インタフェース）と、を備えている。また、地上デジタル放送受信機能付携帯装置は、「ＣＰＵ（中央処理装置）」（２６１５）と、「メモリ」（２６１６）と、「内蔵時計」（２６１７）と、を備えている。そして、それらが「システムバス」（２６１８）などのデータ通信経路によって相互に接続され、情報の送受信や処理を行う。メモリは、ＣＰＵにて実行される各種プログラム（例えば概略情報取得用プログラム、詳細情報取得用プログラム、選択ルール変更用プログラム、選択操作用プログラムなど）を記憶している。またＣＰＵは、メモリに記憶されているプログラムを実行するために読み出す。また、メモリにはメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。
【００７７】
以下に、ユーザー操作による入力で受け付けることにより選択される概略情報又は／及び詳細情報をスピーカ又は／及びディスプレイに出力する場合について説明する。まず、地上デジタル放送受信機能付携帯装置の電源を入れると、ＣＰＵ（プログラム）は概略情報取得用プログラム（アドレス０１）又は／及び詳細情報取得用プログラム（アドレス０２）を起動する。次にアンテナは、地上デジタル放送を受信する。次にチューナは、アンテナが受信する放送チャンネルを選局する。次に受信品質情報検出部のＢＥＲ検出器、Ｃ／Ｎ検出器、受信電力検出器、受信感度検出器は、チューナが選局した地上デジタル放送のＢＥＲ、Ｃ／Ｎ、受信電力、受信感度をそれぞれ検出し、それらのデータをメモリに出力する。次にＣＰＵ（プログラム）は、メモリに記憶されている前記データ（ＢＥＲ、Ｃ／Ｎ、受信電力、受信感度などの情報）にアクセスして、概略情報又は／及び詳細情報を生成し、それらのデータをメモリに出力する。次に選択出力部のＩ／Ｆは、ユーザー操作による入力を受け付け、メモリに記憶されている選択操作用プログラム（アドレス０４）を起動する。次にＣＰＵは選択操作用プログラムを実行し、受け付けたユーザー操作による入力に基づいて選択を行う。次に選択出力部は、前記選択結果に基づいてメモリに記憶されている概略情報又は／及び詳細情報を選択し、スピーカ又は／及びディスプレイに出力する。以上が各ハードウェア構成の機能及び動作の一例である。
【００７８】
<実施形態４の効果の簡単な説明>
本実施形態によれば、選択すべき情報をユーザー操作による入力で受け付けることができる。
【００７９】
<<実施形態５>>
以下に、実施形態５について説明する。
<実施形態５の概念>
以下に本実施形態の概念について説明する。本実施形態は、受信品質情報検出部が、選択出力部の選択に応じて検出感度を調整するための選択依存検出感度調整手段を有する実施形態１又は２に記載の地上デジタル放送受信機能付携帯装置に関する。
【００８０】
<構成要件の明示>
以下に、本実施形態の構成要件を明示する。
図２７は、本実施形態の機能ブロックの一例を示す図である。地上デジタル放送受信機能付携帯装置２７００は、地上デジタル放送受信部２７０１と、受信品質情報検出部２７０２と、概略情報取得部２７０３と、詳細情報取得部２７０４と、選択出力部２７０５と、からなる。また、受信品質情報検出部は、選択依存検出感度調整手段２７０８を有する。また、選択出力部は、選択ルール保持手段２７０６と、選択ルール変更手段２７０７と、を有する構成であってもよい。
【００８１】
<構成要件の説明>
以下に、本実施形態の構成要件について説明をする。
【００８２】
（地上デジタル放送受信部）、（概略情報取得部）、（詳細情報取得部）、（選択出力部）、（選択ルール保持手段）、（選択ルール変更手段）
【００８３】
「地上デジタル放送受信部」、「概略情報取得部」、「詳細情報取得部」、「選択出力部」、「選択ルール保持手段」、「選択ルール変更手段」については、実施形態１又は２と同様なので説明を省略する。
【００８４】
（受信品質情報検出部）
「受信品質情報検出部」は、選択依存検出感度調整手段を有するように構成されている。それ以外の点は実施形態１又は２と同様なので説明を省略する。
（選択依存検出感度調整手段）
「選択依存検出感度調整手段」は、選択出力部の選択に応じて検出感度を調整するように構成されている。ここで「検出感度を調整する」とは、一例として、検出ダイナミックレンジを最大にする、検出解像度を上げる、などの調整が挙げられる。また、受信品質情報検出のサンプリングレートをあげることにより受信レベルの変化に関する応答性を向上することもできる。たとえば受信感度の概略情報表示における受信感度パラメータのサンプリング頻度を１秒間に１回とし、受信感度の詳細情報表示における受信感度のパラメータのサンプリング頻度を１秒間に１０回とする。受信感度の概略情報表示の場合は、受信感度表示の更新が１秒に１回しか行われず受信感度変化による応答性が悪く、ユーザーが地上デジタル放送受信機能付携帯装置の受信可能エリアを検索するのが難しい。これに対して、詳細情報表示を行っている場合には１秒間に１０回受信感度表示の変更が行われ、受信感度変化による受信感度表示の応答性が向上し、ユーザーが地上デジタル放送受信機能付携帯装置の受信可能エリアを容易に検索することが可能となる。
【００８５】
<処理の流れ>
以下に、本実施形態の処理の流れについて説明する。
図２８は、本実施形態の処理の流れの一例を示す図である。
まず、受信ステップは、地上デジタル放送の受信を開始する（ステップＳ２８０１）。
次に、選択出力ステップは、概略情報又は／及び概略情報を選択する（ステップＳ２８０２）。
次に、選択依存検出感度調整ステップは、選択出力ステップでの選択に応じて検出感度を調整する（ステップＳ２８０３）。
次に、受信品質情報検出ステップは、地上デジタル放送の受信品質情報である受信電界強度又は／及び受信ビットエラーレイトを検出する（ステップＳ２８０４）。
次に、概略情報取得ステップは、検出した受信品質情報である受信電界強度又は／及び受信ビットエラーレイトに基づいて概略情報を取得する（ステップＳ２８０５）。
次に、詳細情報取得ステップは、検出した受信品質情報である受信電界強度又は／及び受信ビットエラーレイトに基づいて詳細情報を取得する（ステップＳ２８０６）。
次に、選択出力ステップは、概略情報又は／及び詳細情報を、ディスプレイ又は／及びスピーカに出力する（ステップＳ２８０７）。
次に、受信判断ステップは、地上デジタル放送を受信終了かどうか判断する。判断の結果、地上デジタル放送を受信終了しない場合にはステップＳ２８０２に戻り、地上デジタル放送を受信終了する場合には処理を終了する（ステップＳ２８０８）。
なお、上記ステップＳ２８０５とＳ２８０６は、その実行する順番が逆になっていてもよいし、同時であってもよい。
【００８６】
（ハードウェア構成図）
以下に、本実施形態のハードウェア構成の一例について説明する。
図２９は、本実施例の地上デジタル放送受信機能付携帯装置のハードウェア構成の一例を示す概略図である。この図を利用して、地上デジタル放送受信機能付携帯装置のそれぞれのハードウェア構成部の働きについて説明する。この図にあるように、地上デジタル放送受信機能付携帯装置２９００は、地上デジタル放送受信部２９０１に「アンテナ」（２９０３）と、「チューナ」（２９０４）と、を備えている。また、地上デジタル放送受信機能付携帯装置は、受信品質情報検出部２９０２に「受信感度検出器」（２９０５）と、「受信電力検出器」（２９０６）と、「Ｃ／Ｎ検出器」（２９０７）と、「ＢＥＲ検出器」（２９０８）と、を備えている。また、地上デジタル放送受信機能付携帯装置は、選択出力部２４０９に「選択ルール保持手段」（２９１０）を備えている。選択ルール保持手段は、「フラッシュメモリ」（２９１１）を有している。また、地上デジタル放送受信機能付携帯装置は、スピーカ２９１２と、ディスプレイ２９１３と、Ｉ／Ｆ（２９１４：入力インタフェース）と、を備えている。また、地上デジタル放送受信機能付携帯装置は、「ＣＰＵ（中央処理装置）」（２９１５）と、「メモリ」（２９１６）と、「内蔵時計」（２９１７）と、を備えている。そして、それらが「システムバス」（２９１８）などのデータ通信経路によって相互に接続され、情報の送受信や処理を行う。メモリは、ＣＰＵにて実行される各種プログラム（例えば概略情報取得用プログラム、詳細情報取得用プログラム、選択ルール変更用プログラム、選択依存検出感度調整用プログラムなど）などを記憶している。またＣＰＵは、メモリに記憶されているプログラムを実行するために読み出す。また、メモリにはメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。
【００８７】
以下に、選択出力部の選択に応じて検出感度を調整された概略情報又は／及び詳細情報をスピーカ又は／及びディスプレイに出力する場合について説明する。まず、地上デジタル放送受信機能付携帯装置の電源を入れると、ＣＰＵは概略情報取得用プログラム（アドレス０１）又は／及び詳細情報取得用プログラム（アドレス０２）を起動する。次にアンテナは、地上デジタル放送を受信する。次にチューナは、アンテナが受信する放送チャンネルを選局する。次に選択出力部は、概略情報又は／及び詳細情報を選択するとともに、選択依存検出感度調整用プログラム（アドレス０４）を起動する。次にＣＰＵ（プログラム）は、選択依存検出感度調整用プログラムを実行し、選択出力部の選択に応じて検出感度を調整する。次に受信品質情報検出部のＢＥＲ検出器、Ｃ／Ｎ検出器、受信電力検出器、受信感度検出器は、調整された検出感度で、チューナが選局した地上デジタル放送のＢＥＲ、Ｃ／Ｎ、受信電力、受信感度をそれぞれ検出し、それらのデータをメモリに出力する。次にＣＰＵ（プログラム）は、メモリに記憶されている前記データ（ＢＥＲ、Ｃ／Ｎ、受信電力、受信感度などの情報）にアクセスして、概略情報又は／及び詳細情報を生成し、それらのデータをメモリに出力する。次に選択出力部は、メモリに記憶されている概略情報又は／及び詳細情報をスピーカ又は／及びディスプレイに出力する。以上が各ハードウェア構成の機能及び動作の一例である。
【００８８】
<実施形態５の効果の簡単な説明>
本実施形態によれば、選択出力部の選択に応じて検出感度を調整することができる。
【産業上の利用可能性】
【００８９】
本発明は、地上デジタル放送受信機能付携帯装置における受信品質情報に基づく受信状況の概略情報表示と詳細情報表示に利用可能である。
【図面の簡単な説明】
【００９０】
【図１】実施形態１の概念図
【図２】実施形態１の機能ブロック図
【図３】実施形態１の処理の流れ
【図４】実施形態１のハードウェア構成図
【図５】実施形態１の実施例１のハードウェア構成図
【図６】実施形態１の実施例１のＯＦＤＭ復調器のハードウェア構成図
【図７】実施形態１の実施例１の映像・データ放送同時表示を示す図
【図８】実施形態１の実施例１の映像・データ放送同時表示における受信感度の詳細情報表示を示す図
【図９】実施形態１の実施例１の映像・データ放送同時表示における受信不可状態の表示一例である。
【図１０】実施形態１の実施例１の映像全画面表示を示す図
【図１１】実施形態１の実施例１の映像全画面表示における受信感度の詳細情報表示を示す図
【図１２】実施形態１の実施例１の映像全画面表示における受信不可状態の表示を示す図
【図１３】実施形態１の実施例１のテレビ起動時の受信レベル表示に関するフローチャートを示す図
【図１４】実施形態１の実施例１のテレビ起動中の受信感度劣化に関するフローチャートを示す図
【図１５】実施形態１の実施例１のテレビ起動中のユーザー操作による受信感度表示切替に関するフローチャート
【図１６】実施形態２の機能ブロック図
【図１７】実施形態２の処理の流れ
【図１８】実施形態２のハードウェア構成図
【図１９】実施形態３の機能ブロック図
【図２０】実施形態３の処理の流れ
【図２１】実施形態３のハードウェア構成図
【図２２】実施形態４の機能ブロック図
【図２３】実施形態４におけるユーザー操作による入力を説明するための図
【図２４】実施形態４における選択画面により選択した結果の表示を説明するための図
【図２５】実施形態４の処理の流れ
【図２６】実施形態４のハードウェア構成図
【図２７】実施形態５の機能ブロック図
【図２８】実施形態５の処理の流れ
【図２９】実施形態５のハードウェア構成図
【符号の説明】
【００９１】
０１００  地上デジタル放送受信機能付携帯装置
０１０１  詳細情報表示
０１０２  テレビ画面
０１０３  概略情報表示
【図１】
0004594845.tif 000002
【図２】
0004594845.tif 000003
【図３】
0004594845.tif 000004
【図４】
0004594845.tif 000005
【図５】
0004594845.tif 000006
【図６】
0004594845.tif 000007
【図７】
0004594845.tif 000008
【図８】
0004594845.tif 000009
【図９】
0004594845.tif 000010
【図１０】
0004594845.tif 000011
【図１１】
0004594845.tif 000012
【図１２】
0004594845.tif 000013
【図１３】
0004594845.tif 000014
【図１４】
0004594845.tif 000015
【図１５】
0004594845.tif 000016
【図１６】
0004594845.tif 000017
【図１７】
0004594845.tif 000018
【図１８】
0004594845.tif 000019
【図１９】
0004594845.tif 000020
【図２０】
0004594845.tif 000021
【図２１】
0004594845.tif 000022
【図２２】
0004594845.tif 000023
【図２３】
0004594845.tif 000024
【図２４】
0004594845.tif 000025
【図２５】
0004594845.tif 000026
【図２６】
0004594845.tif 000027
【図２７】
0004594845.tif 000028
【図２８】
0004594845.tif 000029
【図２９】
0004594845.tif 000030